(57)【要約】【課題】Ｘ線透過像の撮影範囲を設定する際に放射性同位元素の集積度が高い範囲が撮影範囲に含まれているか否かを確認する手段を提供することを目的とする。【解決手段】ＰＥＴ／ＣＴ装置において、先にＰＥＴ装置３０によりＰＥＴ画像が取得される。医師等は、取得されたＰＥＴ画像を基に、ＰＥＴ画像上で癌化の可能性の高い範囲（放射性同位元素の集積度が高い範囲）を特定する。放射性同位元素の集積度が高い範囲を基に、Ｘ線透過像の撮影範囲を決定する。その際に、入力部２を操作し、指標表示制御部１０を介して、ＰＥＴ画像上にＸ線透過像の撮影範囲を示す指標を画像表示部６に表示する。指標がＸ線透過像の撮影範囲を示すので、医師等は、Ｘ線透過像の撮影前に、このＸ線透過像の撮影範囲に放射性同位元素の集積度が高い範囲が含まれているかを確認することができる。【選択図】図１
2008194292.tif 000002
【特許請求の範囲】
【請求項１】
被検体の外部から照射されて被検体を透過するＸ線に基づいて被検体のＸ線ＣＴ画像を求めるＸ線ＣＴ装置による断層撮影に先立って前記Ｘ線ＣＴ装置により撮影され、かつ断層撮影範囲の決定に用いられるＸ線透過像の撮影範囲を示す指標を、放射性薬剤が投与された被検体から発生する放射線に基づいて被検体のＰＥＴ画像を求めるＰＥＴ装置により取得されるＰＥＴ画像上に表示する指標表示制御手段を備えたことを特徴とする表示制御装置。
【請求項２】
放射性薬剤が投与された被検体から発生する放射線に基づいて被検体のＰＥＴ画像を求めるＰＥＴ装置と、被検体の外部から照射されて被検体を透過するＸ線に基づいて被検体のＸ線ＣＴ画像を求めるＸ線ＣＴ装置とを備えたＰＥＴ／ＣＴ装置において、前記Ｘ線ＣＴ装置による断層撮影に先立って当該Ｘ線ＣＴ装置により撮影され、かつ断層撮影範囲の決定に用いられるＸ線透過像の撮影範囲を示す指標を、前記ＰＥＴ装置により取得されるＰＥＴ画像上に表示する指標表示制御手段を備えたことを特徴とするＰＥＴ／ＣＴ装置。
【請求項３】
請求項２に記載のＰＥＴ／ＣＴ装置において、前記指標は、前記ＰＥＴ画像上で撮影開始位置と当該撮影開始位置からの被検体の体軸方向の撮影範囲とを示す指標であることを特徴とするＰＥＴ／ＣＴ装置。
【請求項４】
請求項２に記載のＰＥＴ／ＣＴ装置において、前記指標は、前記ＰＥＴ画像上で撮影開始位置と当該撮影開始位置からの被検体の体軸方向の撮影範囲と前記体軸方向に対して直角方向の撮影範囲とを示す指標であることを特徴とするＰＥＴ／ＣＴ装置。
【請求項５】
請求項２から４のいずれかに記載のＰＥＴ／ＣＴ装置において、前記指標として撮影範囲が異なる複数種類の指標を記憶する指標記憶手段と、当該指標記憶手段に記憶された指標の中から少なくとも一の指標を選択する指標選択手段とを備えたことを特徴とするＰＥＴ／ＣＴ装置。
【発明の詳細な説明】
【技術分野】
【０００１】
この発明は、表示制御装置及びＰＥＴ／ＣＴ装置に係り、特に、ＰＥＴ装置で取得されたＰＥＴ画像上でＸ線ＣＴ装置の断層撮影範囲を決定する技術に関する。
【背景技術】
【０００２】
従来、この種の装置として、放射性薬剤が投与された被検体から発生する放射線に基づいて被検体のＰＥＴ画像を求めるＰＥＴ装置と、被検体の外部から照射されて被検体を透過するＸ線に基づいて被検体のＸ線ＣＴ画像を求めるＸ線ＣＴ装置とを備えたＰＥＴ／ＣＴ装置がある。この種の装置においては、先にＰＥＴ装置による撮影を行い、得られたＰＥＴ画像上で癌化の可能性の高い領域（放射性同位元素の集積度が高い範囲）が特定された場合、この領域をＸ線ＣＴ装置による断層撮影範囲として設定する方法が提案されている（例えば、特許文献１参照）。
【特許文献１】特開２００６−８７５４０号公報
【発明の開示】
【発明が解決しようとする課題】
【０００３】
しかしながら、このような構成を有する従来例の場合には、次のような問題がある。
すなわち、従来の装置は、ＰＥＴ画像から直接的にＸ線ＣＴ装置による断層撮影範囲を設定することになるが、ＰＥＴ画像は形態情報に乏しい画像なので、Ｘ線ＣＴ装置による断層撮影の開始位置と終了位置を解剖学的に正確な位置に設定することができない。その結果、癌領域と無関係な広範囲までＸ線ＣＴ装置による断層撮影をして被検者に余計な被曝を与える場合がある。また、癌腫瘍と関係のある範囲であるにも関わらずＸ線ＣＴ装置による断層撮影をしていない結果、撮影していない範囲について再ＣＴ撮影を要することもあり、被検者に余計な手間を取らせる場合がある。さらに、Ｘ線ＣＴ装置による断層撮影に先立ってＸ線ＣＴ装置によりＸ線透過像（スキャナ像、スカウト像とも呼ばれる。）を撮影する場合、ＰＥＴ画像に基づきＸ線透過像の撮影範囲が設定されるが、この場合、放射性同位元素の集積度が高い範囲が十分に含まれるように大まかにＸ線透過像の撮影範囲が決定されている。その結果、必要な範囲よりも大きな範囲を撮影してしまい被検者に余計な被曝を与えることがある。
【０００４】
この発明は、このような事情に鑑みてなされたものであって、Ｘ線透過像の撮影範囲を設定する際に放射性同位元素の集積度が高い範囲が撮影範囲に含まれているか否かを確認することができる表示制御装置及びＰＥＴ／ＣＴ装置を提供することを目的とする。
【課題を解決するための手段】
【０００５】
この発明は、このような目的を達成するために、次のような構成をとる。
すなわち、請求項１に記載の発明は、被検体の外部から照射されて被検体を透過するＸ線に基づいて被検体のＸ線ＣＴ画像を求めるＸ線ＣＴ装置による断層撮影に先立って前記Ｘ線ＣＴ装置により撮影され、かつ断層撮影範囲の決定に用いられるＸ線透過像の撮影範囲を示す指標を、放射性薬剤が投与された被検体から発生する放射線に基づいて被検体のＰＥＴ画像を求めるＰＥＴ装置により取得されるＰＥＴ画像上に表示する指標表示制御手段を備えたことを特徴とする表示制御装置である。
【０００６】
［作用・効果］請求項１に記載の発明によれば、Ｘ線ＣＴ装置による断層撮影に先立ってＸ線ＣＴ装置により撮影されるＸ線透過像の撮影範囲を示す指標をＰＥＴ装置により取得されるＰＥＴ画像上に表示するので、医師等は、Ｘ線透過像の撮影前に、このＸ線透過像の撮影範囲に放射性同位元素の集積度が高い範囲が含まれているかを確認することができる。
【０００７】
また、請求項２に記載の発明は、放射性薬剤が投与された被検体から発生する放射線に基づいて被検体のＰＥＴ画像を求めるＰＥＴ装置と、被検体の外部から照射されて被検体を透過するＸ線に基づいて被検体のＸ線ＣＴ画像を求めるＸ線ＣＴ装置とを備えたＰＥＴ／ＣＴ装置において、前記Ｘ線ＣＴ装置による断層撮影に先立って当該Ｘ線ＣＴ装置により撮影され、かつ断層撮影範囲の決定に用いられるＸ線透過像の撮影範囲を示す指標を、前記ＰＥＴ装置により取得されるＰＥＴ画像上に表示する指標表示制御手段を備えたことを特徴とするＰＥＴ／ＣＴ装置である。
【０００８】
〔作用・効果〕請求項２に記載の発明によれば、Ｘ線ＣＴ装置による断層撮影に先立って前記Ｘ線ＣＴ装置により撮影されるＸ線透過像の撮影範囲を示す指標をＰＥＴ装置により取得されるＰＥＴ画像上に表示するので、医師等は、Ｘ線透過像の撮影前に、このＸ線透過像の撮影範囲に放射性同位元素の集積度が高い範囲が含まれているかを確認することができる。
【０００９】
この発明において、前記指標は、前記ＰＥＴ画像上で撮影開始位置と当該撮影開始位置からの被検体の体軸方向の撮影範囲とを示す指標であることが好ましい（請求項３）。これにより、医師等は、ＰＥＴ画像上で被検体の対軸方向に撮影開始位置からの撮影範囲を決めるとき、被検体の対軸方向にできるだけ小さい撮影範囲で放射性同位元素の集積度が高い部分が含まれるか否かを確認することができる。
【００１０】
この発明において、前記指標は、前記ＰＥＴ画像上で撮影開始位置と当該撮影開始位置からの被検体の体軸方向の撮影範囲と前記体軸方向に対して直角方向の撮影範囲とを示す指標であることが好ましい（請求項４）。これにより、医師等は、ＰＥＴ画像上で撮影開始位置と当該撮影開始位置からの被検体の体軸方向の撮影範囲と前記体軸方向に対して直角方向の撮影範囲を決めるとき、被検体の体軸方向と体軸方向の直角方向にもできるだけ小さい撮影範囲で放射性同位元素の集積度が高い部分が含まれるか否かを確認することができる。
【００１１】
この発明において、前記指標として撮影範囲が異なる複数種類の指標を記憶する指標記憶手段と、当該指標記憶手段に記憶された指標の中から少なくとも一の指標を選択する指標選択手段とを備えることが好ましい（請求項５）。これにより、医師等は、複数の指標の中から、放射性同位元素の集積度が高い範囲が含まれる最も適したＸ線透過像の撮影範囲を確認することができる。
【００１２】
この発明において、前記Ｘ線ＣＴ装置はＸ線撮影系を備え、前記指標表示制御手段でＰＥＴ画像上で表示された指標を用いて当該ＰＥＴ画像上でＸ線透過像の撮影範囲を決定する範囲決定手段と、前記範囲決定手段で決定された撮影範囲での撮影を行うように前記Ｘ線撮影系を制御する撮影制御手段とを備えることが好ましい。これにより、医師等は、ＰＥＴ画像上で設定されたＸ線透過像の撮影範囲の開始位置にＸ線ＣＴ装置のＸ線透過像の撮影開始位置を自動的に合わせることができる。
【発明の効果】
【００１３】
この発明に係る表示制御装置によれば、Ｘ線ＣＴ装置による断層撮影に先立って前記Ｘ線ＣＴ装置により撮影されるＸ線透過像の撮影可能範囲を確認できる指標をＰＥＴ装置により取得されるＰＥＴ画像上に表示するので、医師等は、Ｘ線透過像の撮影前に、このＸ線透過像の撮影範囲に放射性同位元素の集積度が高い範囲が含まれているかを確認することができる。
【実施例１】
【００１４】
以下、図１、図２を参照してこの発明の実施例１の全体構成を説明する。図１は、実施例１の全体構成を示すブロック図である。図２は、実施例１の指標表示に関する制御系を示すブロック図である。
【００１５】
実施例１のＰＥＴ／ＣＴ装置は大きく分けると、被検者Ｐを載置した天板１、ＰＥＴ装置２０、Ｘ線ＣＴ装置３０とを備えて構成されている。ＰＥＴ装置２０は、ＰＥＴガントリ２１、エミッションデータ用放射線検出器２２、トランスミッションデータ用放射線検出器２３、線源２４とを備えて構成されている。Ｘ線ＣＴ装置３０は、Ｘ線ＣＴガントリ３１、Ｘ線管３２、Ｘ線検出器３３およびコリメータ３４とを備えて構成される。ＰＥＴ装置２０およびＸ線ＣＴ装置３０は、互いに近接して配設されている。その他にも、実施例１のＰＥＴ／ＣＴ装置は、入力部２、撮影制御部３、画像データ生成部４、画像表示処理部５、画像表示部６、及び指標表示制御部１０を備える。
【００１６】
天板１は、被検体Ｐを載置し、上下に昇降移動し、被検体Ｐの体軸に沿って平行移動するように構成されている。このように構成することで、天板１に載置された被検体Ｐは、ＰＥＴ装置２０に開口されたＰＥＴガントリ２１およびＸ線ＣＴ装置３０に開口されたＸ線ＣＴガントリ３１を通る。
【００１７】
エミッションデータ用放射線検出器２２は、蛍光体（シンチレータ）と光電子増倍管を接合させたシンチレーション検出器で構成されている。シンチレーション検出器は、被検体Ｐの体軸を取り囲むようにしてリング状に配置されており、ＰＥＴ装置２０内に配設されている。
【００１８】
線源２４は、被検体Ｐに投与する放射性薬剤、すなわち放射性同位元素（ＲＩ）と同じ放射線（本実施例ではガンマ線）を照射させる外部線源であって、ＰＥＴ装置２０内に配設されている。
【００１９】
Ｘ線管球３２とＸ線検出器３３とは、被検体Ｐを挟んで対向配置されており、Ｘ線ＣＴ装置３０内に配設されている。Ｘ線管球３２の天板１側には、コリメータ３４が備えられている。なお、Ｘ線管球３２とコリメータ３４は、コーンビーム状のＸ線を照射するものであっても、ファンビーム状のＸ線を照射するものであってもよい。
【００２０】
なお、実施例１における天板１とＸ線管球３２とコリメータ３４とは、この発明におけるＸ線撮影系に相当する。
【００２１】
撮影制御部３は、実施例１の撮影制御系を構成するとともに、天板１、ＰＥＴ装置２０およびＸ線ＣＴ装置３０の図示しない駆動機構を制御する。なお、実施例１における撮影制御部３は、この発明の撮影制御手段に相当する。
【００２２】
画像データ生成部４は、ＰＥＴ装置２０のエミッションデータ用検出器２２やＸ線ＣＴ装置３０のＸ線検出器３３で取得された投影データを断層像にするための画像再構成を行う。
【００２３】
画像表示処理部５は、ＰＥＴ断層像やＸ線ＣＴ断層像の重ね合わせ等を行い、ＰＥＴ断層像、Ｘ線ＣＴ断層像を画像表示部６に表示させるための処理を行う。
【００２４】
指標表示制御部１０は、図２に示すように、指標表示ＯＮ／ＯＦＦ部１１、指標表示位置変更部１２、指標サイズ切替部１３、指標同時表示部１４および範囲決定部１７を備える。指標表示ＯＮ／ＯＦＦ部１１は、入力部２からの指示に基づき指標表示のＯＮ／ＯＦＦを制御する。指標表示位置変更部１２は、入力部２からの指示に基づき、後述する指標（スケール）４２の表示位置を変更する。指標サイズ切換部１３は、入力部２からの指示に基づき、指標４２のサイズを切り替える。
【００２５】
さらに、本実施例では、Ｘ線ＣＴ装置にＸ線撮影系を構成する天板１とＸ線管球３２とコリメータ３４とを備え、指標表示制御部１０でＰＥＴ画像上で表示された指標を用いて当該ＰＥＴ画像上でＸ線透過像の撮影範囲を決定する範囲決定部１７と、範囲決定部１７で決定された撮影範囲での撮影を行うように制御する撮影制御部３とを備える。
【００２６】
上記の指標表示位置変更部１２、指標サイズ切替部１３および範囲決定部１７での制御の結果は、撮影制御部３に送られ、撮影制御部３は、天板１の図示されない駆動部とＸ線ＣＴガントリ３１のコリメータ３４の駆動を制御する。詳細は、各実施例の中で説明する。
【００２７】
なお、実施例１における指標表示制御部１０は、この発明の指標表示制御手段に相当する。実施例１における範囲決定部１７は、この発明におけるＸ線透過像の撮影範囲を決定する範囲決定手段に相当する。
【００２８】
実施例１の動作説明を行う。まず、本実施例のＰＥＴ／ＣＴ装置は、先にＰＥＴ撮影を行いＰＥＴ画像を得る。撮影技師や医師等（以下、適宜に「医師等」と呼ぶ）は、放射性医薬品を投与された被検体Ｐを天板１に載置する。そして、入力部２を操作して撮影範囲を入力する。この入力された撮影範囲にしたがって、撮影制御部３は、天板１とＰＥＴ装置２０を相対移動させ、ＰＥＴ撮影を開始させる。撮影制御部３は、エミッションデータ用放射線検出器２２に撮影開始信号を与えて、被検体Ｐの体内から放出される放射線を検出させる。エミッションデータ用放射線検出器２２は、検出した放射線をシンチレータで光に変換し、光電子増倍管で光電変換した後、電気信号として画像データ生成部４に出力する。画像データ生成部４は、電気信号として入力したＰＥＴデータを断層像に再構成して、画像表示処理部５に出力する。画像表示処理部５は、入力した断層像に表示処理を加えて、画像表示部６に出力する。画像表示部６は、入力した断層像を表示画面上に表示する。医師等は、表示画面上に表示されたＰＥＴ画像を見ながら、癌化の可能性の高い領域（放射性同位元素の集積度が高い範囲）を特定する。
【００２９】
医師等は、ＰＥＴ画像上で癌化の可能性の高い領域を特定し終わると、この特定した領域を含むＸ線透過像の撮影領域を設定する。ＰＥＴ画像上でＸ線透過像の撮影範囲を設定するときの実施例１の手順について図３を参照しながら説明する。図３（ａ）は、実施例１の表示画面６０の一部を示す模式図である。図３（ａ）〜図３（ｃ）のコロナルフレーム４０には、被検体Ｐの胸部から下腹部までが写っている。図３（ｂ）および図３（ｃ）は、図３（ａ）から被検体ＰのＰＥＴ画像のコロナル（冠状）断面が写っているコロナルフレーム４０のみを抜き出した模式図である。図３（ｄ）は、Ｘ線ＣＴ装置３０により得られたＸ線透過像４５の模式図である。
【００３０】
図３（ａ）に示す表示画面６０には、被検体Ｐの略上半身のＰＥＴ画像のコロナル（冠状）断面を表示するコロナルフレーム４０が設けられている。放射性同位元素の集積度が高い範囲４１は、斜線で示す範囲である。コロナルフレーム４０の下には操作フレーム５０が設けられている。操作フレーム５０には、後述する指標を表示するための各種ボタンが設けられている。
【００３１】
医師等が図３（ａ）の操作フレーム５０に設けられた指標表示ＯＮボタン５５を押すと、図３（ｂ）に示すように、Ｘ線透過像の撮影範囲を設定するための指標４２がコロナルフレーム４０に表示される。図３（ｂ）に示した指標４２は、説明の便宜上、被検体Ｐの一部（図３（ｂ）では被検体Pの右手部分）を隠した状態で図示しているが、実際にはその隠れた部分が透けて見えるようになっている。また、サジタルフレーム４０の側端に沿って指標４２を設けてもよいし、指標４２の枠線と数値だけを表示してもよい。指標４２には、その中心に「０」、上端と下端にそれぞれ撮影範囲の最大値を示す数値「３５０」が表示される。Ｘ線透過像の撮影範囲は、撮影部位に応じて、例えば頭部ならば２５０ｍｍ、胸部および腹部ならば３５０ｍｍあるいは５００ｍｍといったおよその撮影範囲があらかじめ定められる。ここでは、撮影範囲の最大値が３５０ｍｍの指標４２が用いられている。指標４２の中心「０」から画面右側の平行線上に、基準位置を示す基準線４３が表示される。指標４２の「３５０」から画面右側の平行線上に、撮影範囲の最大値を示す限界線４４ａ、４４ｂが表示される。なお、コロナルフレーム４０上の指標４２に表示された２５０ｍｍ等の数値は、被検体ＰのＰＥＴ画像の拡大率と同じ割合で拡大された数値である。したがって、被検体Ｐの実寸に対するＰＥＴ画像の拡大率が０．５であれば、指標４２に表示された２５０ｍｍ等の数値も実寸に対して拡大率０．５で表示されている。なお、この基準線４３は、Ｘ線透過像の撮影開始位置となる。この限界線４４ａ、４４ｂは、それぞれＸ線透過像の撮影終了位置となる。
【００３２】
図３（ｂ）に示すように、放射性同位元素の集積度が高い範囲４１が指標４２の下端よりも下に位置するので、医師等は、図３（ａ）に示す操作フレーム５０に設けられた指標表示位置変更ボタン５７を押して、指標４２の表示位置を、図３（ｃ）に示すように、指標４２の表示位置を下方向に移動させる。図３（ｃ）に示した状態にすると、医師等は、放射性同位元素の集積度の高い範囲４１が基準線４３から指標４２の下端までの間に入っていることを確認できる。したがって、医師等は、このコロナルフレーム４０を基にＸ線透過像の撮影範囲を正確に設定することができる。なお、撮影範囲を設定し直したいときなど、コロナルフレーム４０上にＰＥＴ画像だけを表示させたいときは、指標表示ＯＦＦボタン５６を押すことで、指標４２を画面上から消すことができる。
【００３３】
前述したように３５０ｍｍの指標４２でＸ線透過像の撮影範囲が設定されると、撮影制御部３は、図３（ｃ）の被検体Ｐ上の基準線４３が図１のＸ線透過像の撮影開始位置３５に合うように天板１の駆動を制御する。すなわち、撮影制御部３は、図３（ｃ）のコロナルフレーム４０の下端から基準線４３までの長さＬ１の実寸値から、図１のＰＥＴガントリ２１の撮影開始位置２５からＸ線ＣＴガントリ３１のＸ線透過像の撮影開始位置３５までの長さＬ２を引いて、天板１の駆動距離を求める。駆動距離が正のときは、その分だけ天板１を戻し、駆動距離が負のときは、その分だけ天板１を進める。図３（ｃ）のコロナルフレーム４０の下端は、図１のＰＥＴガントリ２１の撮影開始位置２５に対応している。図３（ｃ）の長さＬ１の実寸値は、長さＬ１間の画素数と画素ピッチが分かれば求められる。図１の長さＬ２は、ＰＥＴガントリ２１とＸ線ＣＴガントリ３１とが固定されたタイプのＰＥＴ／ＣＴ装置では設計上既知の距離であり、両ガントリが駆動するタイプのＰＥＴ／ＣＴ装置では両ガントリの駆動量から求められる。
【００３４】
上記のように、図３（ｃ）の基準線４３に示される位置が図１のＸ線透過像の撮影開始位置３５に合わせられた状態で、Ｘ線透過像撮影が開始され、Ｘ線透過像が取得される。つまり、図３（ｄ）に示すように、Ｘ線ＣＴ装置による断層撮影に先立って撮影されたＸ線透過像４５が拡大されて表示画面６０上に表示される。図示していないが、Ｘ線透過像４５には、被検体Ｐの骨や臓器の影が写っている。なお、Ｘ線透過像４５には、放射性同位元素の集積度が高い範囲４１は写らないが、どの部分のＸ線透過像の拡大表示なのかを明らかにするために図示している。
【００３５】
続いて、次の場合におけるＰＥＴ画像上でＸ線透過像の撮影範囲を設定するときの実施例１の手順について図４を参照しながら説明する。
【００３６】
図４（ａ）は、実施例１の表示画面６０の一部を示す模式図である。図４（ｂ）および図４（ｃ）は、図４（ａ）からコロナルフレーム４０のみを抜き出した模式図である。図４（ａ）〜図４（ｃ）のコロナルフレーム４０には、被検体Ｐの胸部から太腿の上部までが写っている。図４（ｄ）は、Ｘ線透過像４５の模式図である。
【００３７】
医師等が図４（ａ）の操作フレーム５０の指標表示ＯＮボタン５５をＯＮすると、撮影範囲３５０ｍｍの指標４２が図４（ｂ）に示すようにコロナルフレーム４０上に表示される。しかし、今回の場合では、放射性同位元素の集積度が高い範囲４１が撮影範囲３５０ｍｍの指標４２の撮影範囲よりも広い状態となっている。このとき、医師等は、指標サイズ切替ボタン５１により３５０ｍｍよりも大きいサイズ、例えば５００ｍｍの指標４２に切り替える。つまり、図４（ｃ）に示すように、５００ｍｍの指標４２に切り替えることで、放射性同位元素の集積度が高い範囲４１を撮影範囲内に確実に納めることができるし、その確認もできる。
【００３８】
実施例１に関わる発明によれば、Ｘ線ＣＴ装置３０による断層撮影に先立ってＸ線ＣＴ装置３０により撮影されるＸ線透過像の撮影範囲を示す指標４２をＰＥＴ装置２０により取得されるコロナルフレーム４０上に表示するので、医師等は、Ｘ線透過像の撮影前に、このＸ線透過像の撮影範囲に放射性同位元素の集積度が高い範囲４１が含まれているかを確認することができる。
【００３９】
なお、前述の指標４２で設定したＸ線透過像の撮影範囲への天板１の駆動制御については、前述と同様であり、重複記載を避けるためここでの説明を省略する。
【００４０】
実施例１に関わる発明によれば、ＰＥＴ装置２０とＸ線ＣＴ装置３０とを備えたＰＥＴ／ＣＴ装置は、Ｘ線ＣＴ装置３０による断層撮影に先立ってＸ線ＣＴ装置３０により撮影され、かつ断層撮影範囲の決定に用いられるＸ線透過像の撮影範囲を示す指標４２を、ＰＥＴ装置２０により取得されるコロナルフレーム４０上に表示する指標表示制御部１０を備えている。これにより、医師等は、Ｘ線透過像の撮影前に、このＸ線透過像の撮影範囲に放射性同位元素の集積度が高い範囲４１が含まれているかを確認することができる。
【００４１】
実施例１に関わる発明によれば、指標４２は、コロナルフレーム４０上で撮影開始位置と当該撮影開始位置からの被検体Ｐの体軸方向の撮影範囲とを示す指標である。これにより、医師等は、コロナルフレーム４０上で被検体Ｐの体軸方向に撮影開始位置からの撮影範囲を決めるとき、被検体Ｐの体軸方向にできるだけ小さい撮影範囲で放射性同位元素の集積度が高い部分４１が含まれるか否かを確認することができる。
【実施例２】
【００４２】
ＰＥＴ画像上でＸ線透過像の撮影範囲を設定するときの実施例２の設定手順について図５を参照しながら説明する。図５（ａ）は、実施例２の表示画面の一部を示す模式図である。図５（ａ）〜図５（ｃ）のコロナルフレーム４０には、被検体Ｐの胸部から腹部までが写っている。図５（ｂ）および図５（ｃ）は、図５（ａ）からコロナルフレーム４０のみを抜き出した模式図である。図５（ｄ）は、Ｘ線ＣＴ装置３０により得られたＸ線透過像４５の模式図である。
【００４３】
図５（ｂ）および図５（ｃ）に示す指標４２は、撮影開始位置からの被検体の体軸方向の撮影範囲とその体軸方向に対して直角方向の撮影範囲とを示す指標である。このような指標４２の一例として、図５では、指標４２が縦横３５０ｍｍの正方形である場合を示す。図５の右上隅に表示されている「３５０×３５０」の数値は、指標４２の縦横の撮影範囲の数値である。この指標４２の上辺は、Ｘ線透過像の撮影開始位置となり、この指標４２の下辺は、Ｘ線透過像の撮影終了位置となる。また、この指標４２の左辺と右辺は、Ｘ線透過像の左端と右端になる。
【００４４】
医師等は、コロナルフレーム４０上の放射性同位元素の集積度が高い範囲４１を特定し、指標表示ＯＮボタン５５をＯＮすると、図５（ｂ）のように、コロナルフレーム４０上に撮影範囲が縦横３５０ｍｍの指標４２が表示される。このとき、医師等は、図５（ｂ）に示す放射性同位元素の集積度が高い範囲４１が、指標４２の下端よりも下に位置することが分かる。そこで、医師等は、指標表示位置変更ボタン５７を操作して、放射性同位元素の集積度が高い範囲４１が図５（ｃ）に示す指標４２に確実に納まるまで指標４２を下へ動かす。医師等は、図５（ｃ）に示す指標４２で囲まれた範囲をＸ線透過像４５の撮影範囲として設定し、図５（ｄ）に示すＸ線透過像４５を撮影する。
【００４５】
前述したように縦横３５０ｍｍの指標４２でＸ線透過像の撮影範囲が設定されると、撮影制御部３は、まず、図５（ｃ）の被検体Ｐ上の指標４２の上辺が示すＸ線透過像の撮影開始位置がＸ線ＣＴ装置のＸ線透過像の撮影開始位置に合うように天板１の駆動を制御する。このときの撮影制御部３については、前述した通りである。つぎに、（ｃ）の指標４２の左辺が画面右側に移動した分だけ天板１も画面右側へ動くように制御する。このとき、撮影制御部３は、（ｃ）のコロナルフレーム４０の左端から破線で示す指標４２ａの左辺までの長さＤ１を、（ｃ）のコロナルフレーム４０の左端から実線で示す指標４２ｂの左辺までの長さＤ２から引いて、天板１の駆動距離を求める。駆動距離の値が正のときは、天板１を画面右側へ動かし、負の値のときは、天板１を画面左側へ動かす。長さＤ１、Ｄ２は、この間の画素数と画素ピッチから求められる。
【００４６】
また、撮影制御部３は、ＰＥＴ画像上で体軸と直行する方向の撮影範囲を横３５０ｍｍに設定するので、図１のコリメータ３４の開度が横３５０ｍｍになるよう図示されないコリメータ駆動部を駆動させる。具体的には、撮影制御部３は、コリメータ駆動部に対して現在のコリメータ開度から必要な分だけ駆動信号を送り、コリメータ駆動部を駆動させ、コリメータ駆動部に取り付けられた開度検出器からの検出信号に基づき、コリメータ３４が横３５０ｍｍの開度に達すると、駆動を止める。
【００４７】
続いて、次の場合におけるＰＥＴ画像上でＸ線透過像の撮影範囲を設定するときの実施例２の手順について図６を参照しながら説明する。
【００４８】
図６（ａ）は、実施例１の表示画面６０の一部を示す模式図である。図６（ａ）〜図６（ｃ）のコロナルフレーム４０には、被検体Ｐの胸部から太腿の上部までが写っている。図６（ｂ）および図６（ｃ）は、図６（ａ）からコロナルフレーム４０のみを抜き出した模式図である。図６（ｄ）は、Ｘ線ＣＴ装置３０により得られたＸ線透過像４５の模式図である。
【００４９】
医師等は、図６（ａ）に示すコロナルフレーム４０上で放射性同位元素の集積度が高い範囲４１を特定し、指標表示ＯＮボタン５５をＯＮして、撮影範囲が縦横３５０ｍｍの指標４２をコロナルフレーム４０上に表示する。医師等は、図６（ｂ）に示す放射性同位元素の集積度が高い範囲４１が指標４２の撮影範囲よりも広いことを認識する。このとき、医師等は、指標サイズ切替ボタン５２をＯＮして、縦横３５０ｍｍよりも大きいサイズ、例えば縦横５００ｍｍの指標４２に切り替える。医師等は、図６（ｃ）に示す指標４２の中に放射性同位元素が高い範囲４１が含まれていることを確認する。医師等は、図６（ｃ）に示す指標４２に囲まれた範囲を図６（ｄ）に示すＸ線透過像４５の撮影範囲として設定して、図６（ｄ）に示すＸ線透過像４５を撮影する。
【００５０】
なお、前述の指標４２で設定したＸ線透過像の撮影範囲への天板１とコリメータ３４の駆動制御については、前述と同様であり、重複記載を避けるためここでの説明を省略する。
【００５１】
実施例２記載の発明によれば、指標４２は、コロナルフレーム４０上で撮影開始位置と当該撮影開始位置からの被検体Ｐの体軸方向の撮影範囲と前記体軸方向に対して直角方向の撮影範囲とを示す指標である。これにより、医師等は、コロナルフレーム４０上で撮影開始位置と当該撮影開始位置からの被検体Ｐの体軸方向の撮影範囲と前記体軸方向に対して直角方向の撮影範囲を決めるとき、被検体Ｐの体軸方向と体軸方向の直角方向にもできるだけ小さい撮影範囲で放射性同位元素の集積度が高い部分４１が含まれるか否かを確認することができる。
【実施例３】
【００５２】
ＰＥＴ画像上でＸ線透過像の撮影範囲を設定するときの実施例３の手順について図７を参照しながら説明する。図７（ａ）は、実施例３の表示画面６０の一部を示す模式図である。図７（ｂ）は、図７（ａ）からコロナルフレーム４０のみを抜き出した模式図である。図７（ｃ）は、Ｘ線ＣＴ装置３０により得られたＸ線透過像４５の模式図である。
【００５３】
医師等は、図７（ａ）に示すコロナルフレーム４０上で放射性同位元素が高い範囲４１を特定し、指標同時表示ボタン５４を押して、図７（ｂ）に示す同時表示指標４６をコロナルフレーム４０上に表示する。図７（ｂ）に示す同時表示指標４６は、縦横３５０ｍｍの指標４２ａおよび縦横５００ｍｍの指標４２ｂが左上の角を共有して重畳表示される。このとき、医師等は、放射性同位元素の集積度が高い範囲４１が縦横３５０ｍｍに指標４２ａには納まらないが、縦横５００ｍｍの指標４２ｂには納まることを確認する。そこで、医師等は、縦横５００ｍｍの指標４２ｂに囲まれた範囲をＸ線透過像４５の撮影範囲として設定して、図７（ｃ）に示すＸ線透過像４５を撮影する。
【００５４】
同時表示指標４６は、図２に示す指標同時表示部１４によって表示される。指標同時表示部１４は、指標選択部１５および指標記憶部１６から構成される。指標記憶部１６は、撮影範囲の異なる指標４２ａおよび指標４２ｂを記憶している。指標選択部１５は、入力部２からの指標同時表示の指示に基づき、指標記憶部１６から指標４２ａおよび指標４２ｂを選択し、指標４２ａおよび指標４２ｂを重ね合わせて同時表示指標４６を作成する。実施例３における指標選択部１５は、この発明の指標選択手段に相当し、指標記憶部１６は、この発明の指標記憶手段に相当する。
【００５５】
続いて、次の場合におけるＰＥＴ画像上でＸ線透過像の撮影範囲を設定するときの実施例３の手順について図８を参照しながら説明する。
【００５６】
図８（ａ）は、実施例３の表示画面６０の一部を示す模式図である。図８（ｂ）は、図８（ａ）からコロナルフレーム４０のみを抜き出した模式図である。図８（ｃ）は、Ｘ線ＣＴ装置３０により得られたＸ線透過像４５の模式図である。
【００５７】
図８（ｂ）に示す同時表示指標４６には、中心を示す「０」と、２つの撮影範囲の最大値を示す「３５０」および「５００」とが設けられている。中心「０」の画面右側の平行線上には、基準線４３が設けられている。撮影範囲の最大値を示す「３５０」の画面右側の平行線上には限界線４４ａが、「５００」の画面右側の平行線上には限界線４４ｂが設けられている。
【００５８】
医師等は、図８（ａ）に示すコロナルフレーム４０上で放射性同位元素の集積度が高い範囲４１を特定し、図８（ｂ）に示す指標同時表示ボタン５４を押して、同時表示指標４６を図８（ｂ）に示すコロナルフレーム４０上に表示する。医師等は、放射性同位元素の集積度が高い範囲４１が「０」を示す基準線４３と「３５０」を示す限界線４４ａとの間に納まらないが、「０」を示す基準線４３と「５００」を示す限界線４４ｂとの間に納まることを確認する。そこで、医師等は、基準線４３から限界線４４ｂまでをＸ線透過像４５撮影範囲として設定して、図８（ｃ）に示すＸ線透過像４５を撮影する。
【００５９】
なお、前述の指標４２で設定したＸ線透過像の撮影範囲への天板１とコリメータ３４の駆動制御については、前述と同様であり、重複記載を避けるためここでの説明を省略する。
【００６０】
実施例３に関わる発明によれば、撮影範囲が異なる複数種類の指標４２を記憶する指標記憶部１６と、当該指標記憶部１６に記憶された指標４２の中から少なくとも一の指標４２を選択する指標選択部１５とを備える。これにより、医師等は、同時表示指標４６の中から、放射性同位元素の集積度が高い範囲４１が含まれる最も適したＸ線透過像の撮影範囲を確認することができる。
【００６１】
この発明は、上記実施形態に限られることはなく、下記のように変形実施することができる。
【００６２】
（１）上述した実施例１および実施例３では、図３（ｂ）、図３（ｃ）、図４（ｂ）、および図４（ｃ）に示された指標４２並びに図８（ｂ）に示された同時表示指標４６の中心「０」と撮影範囲の最大値「３５０」または「５００」との間に目盛りが刻まれていてもよい。
【００６３】
（２）上述した実施例１および実施例３では、前記（１）記載の各図に示された指標４２または同時表示指標４６に基準線４３または限界線４４ａ、４４ｂを設けているが、指標４２または同時表示指標４６のみを設けるだけでもよい。
【００６４】
（２）上述した実施例１または実施例３では、図３（ｂ）、図３（ｃ）、図４（ｂ）、および図４（ｃ）に示された指標４２並びに図８（ｂ）に示された同時表示指標４６は、中心「０」を基準位置としてその基準位置から上下に設けられているが、上又は下にのみ指標４２または同時表示指標４６が設けられていてもよい。
【００６５】
（３）上述した実施例２または実施例３では、図５（ｂ）、図５（ｃ）、図６（ａ）および図６（ｃ）に示された指標４２並びに図７（ｂ）に示された同時表示指標４６の形態を正方形としたが、長方形、円形または楕円形など形態は正方形に限らない。
【００６６】
（４）上述した各実施例では、被検体ＰのＰＥＴ画像のコロナル（冠状）断面が写っているコロナルフレーム４０を用いてＸ線透過像４５の撮影範囲を決定したが、サジタル（矢状）断面が写っているサジタルフレームやアキシャル（体軸）断面が写っているアキシャルフレームなどを用いてもよい。
【００６７】
（５）上述した各実施例では、ＰＥＴガントリ２１とＸ線ＣＴガントリ３１とが固定で、天板１が可動なＰＥＴ／ＣＴ装置を示したが、ＰＥＴガントリ２１とＸ線ＣＴガントリ３１とは可動であってもよい。
【図面の簡単な説明】
【００６８】
【図１】実施例１の全体構成を示すブロック図である。
【図２】実施例１の指標表示の制御系を示すブロック図である。
【図３】（ａ）〜（ｄ）は、ＰＥＴ画像上で指標を用いてＸ線透過像の撮影範囲を設定する実施例１の手順の模式図である。
【図４】（ａ）〜（ｄ）は、ＰＥＴ画像上で指標を変更してＸ線透過像の撮影範囲を設定する実施例１の手順の模式図である。
【図５】（ａ）〜（ｄ）は、ＰＥＴ画像上で指標を用いてＸ線透過像の撮影範囲を設定する実施例２の手順の模式図である。
【図６】（ａ）〜（ｄ）は、ＰＥＴ画像上で指標を変更してＸ線透過像の撮影範囲を設定する実施例２の手順の模式図である。
【図７】（ａ）〜（ｄ）は、ＰＥＴ画像上で複数種類の指標を重畳表示した同時表示指標を用いてＸ線透過像の撮影範囲を設定する実施例３の手順の模式図である。
【図８】（ａ）〜（ｄ）は、ＰＥＴ画像上で同時表示指標を用いてＸ線透過像の撮影範囲を設定する実施例３の手順の模式図である。
【符号の説明】
【００６９】
１０  …指標表示制御部
１１  …指標表示ＯＮ／ＯＦＦ部
１２  …指標表示位置変更部
１３  …指標サイズ切替部
１４  …指標同時表示部
１５  …指標選択部
１６  …指標記憶部
１７  …範囲決定部
２０  …ＰＥＴ装置
３０  …Ｘ線ＣＴ装置
４０  …サジタルフレーム
４１  …放射性同位元素の集積度が高い範囲
４２  …指標
４３  …基準線
４４  …限界線
４６  …同時表示指標
５０  …操作フレーム
５１〜５３  …指標サイズ切替ボタン
５４  …指標同時表示ボタン
５５  …指標表示ＯＮボタン
５６  …指標表示ＯＦＦボタン
５７  …指標表示位置変更ボタン
【図１】
2008194292.tif 000003
【図２】
2008194292.tif 000004
【図３】
2008194292.tif 000005
【図４】
2008194292.tif 000006
【図５】
2008194292.tif 000007
【図６】
2008194292.tif 000008
【図７】
2008194292.tif 000009
【図８】
2008194292.tif 000010